(57)【特許請求の範囲】
【請求項１】
壁面（１）側に固定される本体（５）と、該本体（５）の上部に固定された背もたれ部（６）と、該背もたれ部（６）の下側に屈曲自在に連結された座部（７）と、該座部（７）の前側に屈曲自在に連結されたストッパー部（８）と、後端側が前記背もたれ部（６）に枢支され且つ前端側が前記ストッパー部（８）に連結された安全サークル（９）とを備え、前記座部（７）と前記安全サークル（９）とが前方に突出する使用状態と起立する折り畳み状態との間で姿勢変更自在に構成された子供用椅子において、前記背もたれ部（６）と前記座部（７）とを、下方に円弧状に湾曲形成され且つ前記背もたれ部（６）の下端縁と前記座部（７）の後端縁とを屈曲可能に連結する連結部（１０）を介して合成樹脂材料により一体成型し、前記座部（７）に、前記連結部（１０）の下側近傍を経て後方に突出する突出部（１２）を設け、該突出部（１２）が前記連結部（１０）から後方に離れた位置で当接して前記座部（７）を前記使用状態に保持する受け部（１５）を前記本体（５）に設けたことを特徴とする子供用椅子。
【請求項２】
前記背もたれ部（６）と前記座部（７）とを連結する連結部（１０）は、その連結方向に略均一の厚さを有し、下方に湾曲していることを特徴とする請求項１に記載の子供用椅子。
【請求項３】
前記座部（７）と前記ストッパー部（８）とを連結する連結部（１１）は、前記座部（７）の上面側と前記ストッパー部（８）の下側面の厚さ方向の略中央とを連結し、前記使用状態のときに前記座部（７）の上面と前記ストッパー部（８）の下側面との間に隙間ができるように、前記ストッパー部（８）の下側面を傾斜させたことを特徴とする請求項１又は２に記載の子供用椅子。
【請求項４】
前記背もたれ部（６）の下端縁（３７）と前記座部（７）の後端縁（３８）とを略同一長さの略直線状に成型し、前記背もたれ部（６）の下端縁（３７）と前記座部（７）の後端縁（３８）との略全長にわたって両者を連結する連結部（１０）を設けたことを特徴とする請求項１〜３の何れかに記載の子供用椅子。
【請求項５】
前記背もたれ部（６）及び前記座部（７）を中空状に構成し、該背もたれ部（６）と該座部（７）とを連結する連結部（１０）を、該背もたれ部（６）及び該座部（７）の肉厚と略同程度の厚さとしたことを特徴とする請求項１〜４の何れかに記載の子供用椅子。
【請求項６】
前記座部（７）及び前記ストッパー部（８）を中空状に構成し、該座部（７）と該ストッパー部（８）とを連結する連結部（１１）を、前記座部（７）及びストッパー部（８）の肉厚と略同程度の厚さの肉厚部（４１ａ）（４１ｂ）と、該肉厚部（４１ａ）（４１ｂ）間に設けられ且つ該肉厚部（４１ａ）（４１ｂ）よりも薄い屈曲部（４１ｃ）とによって構成したことを特徴とする請求項１〜５の何れかに記載の子供用椅子。
【発明の詳細な説明】
【０００１】
【発明の属する技術分野】
本発明は、公共施設、駅、デパートの洗面所等の壁面側に設置して、子供を座らせる折り畳み式の子供用椅子に関するものである。
【０００２】
【従来の技術】
公共施設、駅、デパートの洗面所等の壁面側に設置され、子供を連れた人が洗面所等で身繕い等をする際に、子供を一時的に座らせておく場合に使用する子供用椅子において、壁面側に固定される本体と、この本体の上部に固定された背もたれ部と、背もたれ部の下側に屈曲自在に連結された座部と、座部の前側に屈曲自在に連結されたストッパー部と、後端側が背もたれ部に枢支され且つ前端側がストッパー部に枢支された安全サークルとを備え、座部と安全サークルとを前方に突出する使用状態と背もたれ部に沿って起立する折り畳み状態との間で姿勢変更自在にしたものがある。
【０００３】
【発明が解決しようとする課題】
従来の子供用椅子は、背もたれ部、座部及びストッパー部を夫々別体に成型し、横方向の枢軸廻りに屈曲自在に連結する方法をとっている。そのため、各連結部に軸受け部を成型する必要があり、その付近が大型化すると共に構造が複雑化する。
【０００４】
また別体に成型した背もたれ部、座部及びストッパー部を枢軸を介して組み立てる必要があり、その組み立て作業が煩雑になること、部品点数が多くなり製造過程での部品管理が煩雑になること等の理由からコストアップしてしまう問題がある。しかも、連結部の組み立て不良により品質にばらつきが生じる問題がある。
【０００５】
本発明は、かかる従来の問題点に鑑み、背もたれ部と座部との連結部を小型化できると共にその構造を簡単にでき、容易且つ安価に製作でき、しかも品質のばらつきを少なくできる子供用椅子を提供することを目的とする。
【０００６】
【課題を解決するための手段】
本発明は、壁面１側に固定される本体５と、該本体５の上部に固定された背もたれ部６と、該背もたれ部６の下側に屈曲自在に連結された座部７と、該座部７の前側に屈曲自在に連結されたストッパー部８と、後端側が前記背もたれ部６に枢支され且つ前端側が前記ストッパー部８に連結された安全サークル９とを備え、前記座部７と前記安全サークル９とが前方に突出する使用状態と起立する折り畳み状態との間で姿勢変更自在に構成された子供用椅子において、前記背もたれ部６と前記座部７とを、下方に円弧状に湾曲形成され且つ前記背もたれ部６の下端縁と前記座部７の後端縁とを屈曲可能に連結する連結部１０を介して合成樹脂材料により一体成型し、前記座部７に、前記連結部１０の下側近傍を経て後方に突出する突出部１２を設け、該突出部１２が前記連結部１０から後方に離れた位置で当接して前記座部７を前記使用状態に保持する受け部１５を前記本体５に設けたものである。
【０００８】
【発明の実施の形態】
以下、本発明の一実施形態を図面に基づいて詳述する。図面は本発明の一実施形態を例示し、図１において、１は建造物等の壁面、２は壁面１に挟まれた入り隅、３は床面である。４は子供用椅子であり、左右の壁面１間の入り隅２、または一方の壁面１に沿って配置され固定されている。
【０００９】
子供用椅子４は、図２〜図６に示すように、入り隅２において左右の壁面１等に固定された本体５と、この本体５の上部に固定された背もたれ部６と、背もたれ部６の下側に屈曲自在に連結された座部７と、座部７の前側に屈曲自在に連結されたストッパー部８と、後端側が背もたれ部６に枢支され且つ前端側がストッパー部８に枢支された安全サークル９とを備え、座部７、安全サークル９が前方に突出する使用状態（図１（ａ）参照）と、座部７、ストッパー部８及び安全サークル９が背もたれ部６に沿って起立する折り畳み状態（図１（ｂ）参照）との間で姿勢変更自在に構成されている。
【００１０】
本体５、背もたれ部６、座部７、ストッパー部８及び安全サークル９は、ＡＢＳ樹脂、ＦＲＰ、ポリプロピレン等の合成樹脂製であり、本体５はブロー成型法、射出成型法により、安全サークル９は射出成型法により夫々成型されている。背もたれ部６、座部７及びストッパー部８は、図５、図１４及び図１５に示すように、ブロー成型法等により中空状に成型されると共に、屈曲自在な第１連結部１０、第２連結部１１を介して一体に成型されており、その第１連結部１０、第２連結部１１の屈曲により使用状態と折り畳み状態とに屈曲自在である。
【００１１】
そして、座部７、安全サークル９等は、座部７の下側から第１連結部１０の下側近傍を経て後方に突出する突出部１２と、この突出部１２が第１連結部１０から後方に離れた位置で下側から当接する本体５側の受け部１５とによって使用状態に保持可能であり、また安全サークル９の後端側で背もたれ部６との間に設けられた姿勢保持機構５１（図１２及び図１３参照）により使用状態及び折り畳み状態に保持可能である。
【００１２】
本体５は縦長状であって、図３、図５及び図９に示すように、上部側に背もたれ部６用の取付部１６を、この取付部１６の下側に前側への張り出し部１７を夫々備え、その取付部１６と張り出し部１７とに跨がって裏側から着脱自在に嵌合する上下方向の補強部材２０によって補強されている。そして本体５は、入り隅２に配置したときにその両側縁が左右の壁面１に近接又は接触するように、張り出し部１７側の左右両側縁が略平行であり、また片側の壁面１等に沿って配置したときに裏面側がその壁面１等に近接又は接触するように、上下方向の全体にわたって平面状に構成されている。
【００１３】
取付部１６は本体５の左右方向の略中央にあり、左右幅が張り出し部１７よりも狭く、前後厚さが張り出し部１７よりも薄くなっている。この取付部１６は、背もたれ部６の裏側に形成された取付凹部１８に裏側から嵌合されて、その上端側のボルト３４により背もたれ部６に着脱自在に固定されている。ボルト３４は左右に２個あり、背もたれ部６の取付凹部１８内に埋設されたナット３３に裏側から螺合されている。張り出し部１７は背もたれ部６の下側で前側に露出する部分の略全体に設けられ、前側へと円弧状に張り出す横断面円弧状に形成されている。
【００１４】
なお、取付部１６の下部には、その下側の受け部１５との間に跨がって前側に突出する上下方向の補強凸部３５が一体に形成され、この補強凸部３５によって取付部１６の下部が補強されている。補強凸部３５は左右に２個あり、この各補強凸部３５が嵌合する凹部３６が背もたれ部６の裏側の下部に２個形成されている。
【００１５】
補強部材２０は横断面コ字状等であって、取付部１６及び張り出し部１７の裏側に形成された縦方向の嵌合凹部１９内に、その取付部１６側の上端部を除いて上下方向に配置されており、この補強部材２０の上端部の係合部２１に、取付部１６の嵌合凹部１９内で背もたれ部６の取り付け用のボルト３４により共締め状態で固定された係合具２４が上側から係脱自在に係合されている。従って、背もたれ部６側の荷重は本体５で支持されると共に、その上下方向の略中央部よりも若干上側で係合具２４を介して補強部材２０により支持されている。
【００１６】
補強部材２０には、背もたれ部６の下側近傍に対応して左右方向に壁面取付板２２が、下端に張り出し部１７に対応する略半円状のベース板２３が夫々溶接等により固定されている。そして、本体５は、背もたれ部６の下側近傍で張り出し部１７の左右両側部に挿通され且つ壁面取付板２２の両端側の切り欠き部２２ａを貫通するボルト２６により、入り隅２側の壁面１に固定されたコーナー取付具（図示略）に着脱自在に取り付けられると共に、張り出し部１７の下端部に上側からベース板２３を貫通するボルト２７により、床面３側に埋め込まれたアンカーナット（図示略）に着脱自在に取り付けられている。なお、ボルト２７は、張り出し部１７の前端中央部に設けられている。またベース板２３は、その後部側の左右一対のボルト２８により床面３側のアンカーナット（図示略）に螺合されている。
【００１７】
背もたれ部６は、図２〜図７、図１４に示すように、正面視形状が下端縁３７を除いて略縦長楕円状であって、前面壁２９及び後面壁３０がその周縁側で一体化され且つ略全体が略均一な肉厚の中空状に成型されている。また背もたれ部６は、座部７上の子供がもたれ易いように背もたれ面２９ａを形成する前面壁２９が後ろ上がりに湾曲すると共に、前側に円弧状に湾曲する湾曲縁部３１が左右両側に、前側に円弧状に湾曲する下湾曲部３２が下端縁３７の上側近傍に夫々設けられ、その湾曲縁部３１の上側の段部３１ａに安全サークル９の後端側が配置されている。背もたれ部６の後面壁３０は、図３〜図８に示すように、その中央部分が本体５及び壁面取付板２２の後面と略面一状に形成された平坦面３０ａとなっており、この平坦面３０ａの周辺は左右の湾曲縁部３１の裏側から平坦面３０ａに向かって後ろ窄まり状となっている。なお、ナット３３は背もたれ部６の前面壁２９と後面壁３０とに跨がって埋設され、また平坦面３０ａに取付凹部１８が形成されている。
【００１８】
座部７は、図２〜図６、図１４に示すように、平面視形状が後端縁３８を除いて略円形状であって、上面壁４３及び下面壁４４がその周縁側で一体化され且つ略全体が背もたれ部６側と略同一の略均一な肉厚の中空状に成型されている。上面壁４３には、子供が座り易くなるように中央部分に左右方向の長円状の座凹部４３ａが形成されている。下面壁４４は中央が低くなる球面状に形成されると共に、後部側に後端縁３８に向かって後ろ上がりに傾斜する傾斜部４４ａが形成され、この傾斜部４４ａに突出板４５の前部側がネジ４６により着脱自在固定されている。
【００１９】
背もたれ部６の下端縁３７と座部７の後端縁３８は、図１４に示すように略同一長さで左右方向に略平行に略一直線状に成型され、安全サークル９の後端部間の間隔よりも若干短い程度に左右方向に十分な長さを有し、その両者の略全長にわたって第１連結部１０が一体に成型されている。第１連結部１０は、図１０、図１４に示すように、背もたれ部６及び座部７と略同一の略均一な厚さを有し、下方に円弧状に湾曲して背もたれ部６の前面側と座部７の上面側とを連結するように一体に成型されている。第１連結部１０の左右両端部には、継続的な屈曲変形による亀裂の発生を防止するために、その連結方向の全長にわたって突条部１０ａが一体に成型されている。なお、第１連結部１０は、成型時点において円弧状に湾曲している。
【００２０】
突出板４５は、前部側が座部７の傾斜部４４ａに対応する略半円状であり、後部側が後方に円弧状に突出する略逆半円状であって、座部７の後端縁３８の下側に対応する両半円部分の中間の第１折曲部４５ａで、使用状態のときに第１連結部１０の下を経て背もたれ部６の下湾曲部３２の下面近傍側に沿うように下側に折り曲げられ、後端側が第１連結部１０よりも後方に十分離間した位置で受け部１５に略面接触状に接触するように、その受け部１５の前端近傍の第２折曲部４５ｂで更に下側に折り曲げられている。従って、突出板４５は第１折曲部４５ａと第２折曲部４５ｂとで同一側に２段階に折り曲げられており、その後端側が受け部１５に当接する突出部１２となっている。
【００２１】
なお、突出板４５の第１連結部１０に対応する部分の左右幅は、第１連結部１０の湾曲部分に下側から接触又は近接して第１連結部１０をその左右方向の略全体で下側から覆うように、第１連結部１０の左右方向の長さと略同程度になっている。
【００２２】
本体５の受け部１５は、図５及び図９に示すように、その取付部１６と張り出し部１７との境界部分において、背もたれ部６の前側に湾曲する下湾曲部３２の後端側から後ろ下がりに傾斜状に形成され、第１連結部１０から後方に十分離間した位置で左右方向に配置されている。また本体５には、使用状態と折り畳み状態とに姿勢変更する際に突出板４５との干渉を避けるための凹入部１４が受け部１５の下側に形成されている。この凹入部１４は、後方に円弧状に突出する突出板４５の軌道に対応して下後方に凹入し、且つ折り畳み状態のときに突出板４５によって略塞がれるように張り出し部１７の上端側に設けられている。なお、突出板４５の後端側の突出部１２は、図１５に示すように、折り畳み状態のときに凹入部１４の前端から前に出ない程度の角度になっている。
【００２３】
ストッパー部８は、子供が股間に挟んで落下を防止するためのものであって、図２、図４〜図６に示すように、正面視において縦長の長円状又は帯状等に構成され、前面壁３９及び後面壁４０がその周縁側で一体化され且つ略全体が背もたれ部６及び座部７側と略同一の略均一な肉厚の中空状に成型されている。なお、ストッパー部８は、側面視において若干前側に湾曲状になっている。
【００２４】
ストッパー部８は、図５及び図１４に示すように、第２連結部１１を介して座部７の前側に一体に成型されている。第２連結部１１は、図１１及び図１４に示すように、ストッパー部８の下端部側と略同幅又は若干狭い程度の左右幅を有し、座部７側の肉厚部４１ａと、ストッパー部８側の肉厚部４１ｂと、これらの間の屈曲部４１ｃとにより構成され、その屈曲部４１ｃで屈曲するようになっている。座部７側の肉厚部４１ａは、座部７の上面壁４３の前端から前方に突設され、ストッパー部８側の肉厚部４１ｂは、ストッパー部８の下部の前後の厚さ方向の略中央部から下方に突設されている。
【００２５】
ストッパー部８の下部には、使用状態のときに座部７の前端よりも後方に膨らむ膨らみ部８ａが幅方向の中央部分に形成され、またこの膨らみ部８ａの下側が、座部７との間に十分な空間を確保するように後ろ上がりに傾斜状に形成されている。第２連結部１１の屈曲部４１ｃは、その厚さ方向の両側の凹部により薄肉状に形成されており、継続的な屈曲変形による亀裂の発生を防止するために、屈曲部４１ｃの左右両側に各肉厚部４１ａ，４１ｂと略同一厚さの突条部４１ｄが設けられている。なお、第２連結部１１は、その座部７側の肉厚部４１ａとストッパー部８側の肉厚部４１ｂとが略一直線状となる状態で成型されている。また肉厚部４１ａ，４１ｂは座部７及びストッパー部８の肉厚と略同程度である。
【００２６】
安全サークル９は座部７上の子供の胴を取り囲んで脱落を防止するためのもので、図６及び図１２に示すように、前部がストッパー部８側へと内側に円弧状に湾曲する左右一対のアーム４７を備え、その前端側がボルト（枢軸）４８を介してストッパー部８の左右両側に回動自在に連結され、後端側が背もたれ部６の左右の段部３１ａ側でボルト（枢軸）４９及び姿勢保持機構５１を介して背もたれ部６に回動自在に連結されている。即ち、各アーム４７の前端側にはボルト４８が埋設され、そのボルト４８がストッパー部８の左右両側に埋め込まれたナット５０に逆方向に螺合されている。アーム４７の後端部には枢支孔５２が形成され、その枢支孔５２にボルト４９に套嵌されたカラー５３が挿通されている。ボルト４９は背もたれ部６側に埋め込まれたナット５４に螺合され、接着剤等で回動不能にナット５４に固定されている。
【００２７】
姿勢保持機構５１は安全サークル９を使用状態と折り畳み状態とに保持するためのもので、図１２及び図１３に示すように、背もたれ部６側に形成された使用状態用及び折り畳み状態用の保持凹部５５と、アーム４７側に形成され且つ安全サークル９を使用状態及び折り畳み状態にしたときに保持凹部５５に択一的に嵌脱自在に嵌合する保持凸部５６と、枢支孔５２内でカラー５３に套嵌され且つボルト４９の頭部４９ａとの間でアーム４７を背もたれ部６側に押圧するコイルバネ等の圧縮バネ５８とを備えている。保持凸部５６はボルト４９の軸対称に２個あり、保持凹部５５はその保持凸部５６に対応して４個ある。なお、保持凹部５５を安全サークル９側に、保持凸部５６を背もたれ部６側に設けても良い。
【００２８】
上記構成の子供用椅子を入り隅２を挟む左右両壁面１に設置する際には、まずコーナー取付具を壁面１に固定し、アンカーナットを床面３の所定位置に埋め込んでおく。そして、補強部材２０を所定位置に配置し、ベース板２３の後端の左右両側をボルト２８により床面３に固定する。これによって補強部材２０を床面３に確実に固定でき、取付作業中に補強部材２０が転倒するといった惧れがなくなる。
【００２９】
次に、本体５の取付部１６を背もたれ部６の取付凹部１８に嵌め込み、係合具２４と本体５の取付部１６と背もたれ部６とをボルト３４により固定する。そして、本体５の後面の嵌合凹部１９に補強部材２０を嵌合させて、本体５を上側から補強部材２０に沿ってスライドさせると、補強部材２０の係合部２１に係合具２４が上側から係合し、補強部材２０に本体５を固定できる。その後、本体５の張り出し部１７の上側の左右両側と補強部材２０の壁面取付板２２とをボルト２６によりコーナー取付具に共締めで固定し、本体５と補強部材２０のベース板２３とをボルト２７により床面３に共締めで固定する。
【００３０】
このように本体５と補強部材２０とを共締めによって壁面１及び床面３に固定することにより、ボルトを締める箇所が少なくなるので、設置作業を簡単且つ迅速に行うことができる。また補強部材２０のベース板２３は、後側の２箇所で単独に床面３に固定されているので、本体５を取り外す必要があるときは共締めされている部分のみのボルト２６，２７を外せば本体５を取り外すことができる。そのときにも補強部材２０は床面３に固定したままでよく、補強部材２０が転倒するといった惧れもない。
【００３１】
このように設置された子供用椅子は通常、座部７とストッパー部８と安全サークル９とを背もたれ部６に沿って起立する折り畳み状態にして、姿勢保持機構５１により折り畳み状態に保持しておく。従って、使用しないときは前方への張り出し量を少なくでき、狭い空間に設置した場合にも邪魔になることがない。また折り畳み状態用の保持凹部５５に保持凸部５６が嵌合するため、簡単な姿勢保持機構５１により座部７等を折り畳み状態に確実に保持できる。
【００３２】
子供を座らせるために使用する際は、座部７の前側を持って前側に引くようにして突出部１２が受け部１５に当接するまで下側に倒せばよく、簡単に使用状態に姿勢変更できる。この使用状態では突出部１２が受け部１５に当接するので、座部７がそれ以上下がることはない。また使用状態用の保持凹部５５に保持凸部５６が嵌合するため、簡単な姿勢保持機構５１により座部等を使用状態に確実に保持できる。
【００３３】
このような簡単な操作で使用状態に姿勢変更できるので、子供を抱きながら片手で操作することも可能である。また使用状態から折り畳み状態に折り畳むときも座部７を持って、姿勢保持機構５１の保持凸部５６が保持凹部５５に嵌合するまで上方に持ち上げるだけでよいので、片手で簡単に操作できる。
【００３４】
この子供用椅子は、背もたれ部６と座部７とストッパー部８とを合成樹脂材料により屈曲可能な連結部１０，１１を介して一体成型しているので、容易且つ安価に製造することができる。また背もたれ部６と座部７とストッパー部８とを夫々別体に成型し、枢軸を介して屈曲自在に連結する場合に比べて、各連結部に軸受け部等を成型する必要がなく、その構造を簡単にでき、その近傍を小型化できる。さらに組み立てが容易であり、組み立て作業を容易且つ能率的に行えるため、迅速に製造でき、在庫管理等に要するコストを削減できる。そのうえ、部品点数を少なくでき、製造過程での部品管理が容易になる。また組み立て不良による製品の品質のばらつきを少なくできる。
【００３５】
背もたれ部６と座部７とを連結する第１連結部１０は、その連結方向に略均一の厚さを有しているので、連結方向の略全長で略平均して屈曲し、特定の部分に負担が集中することがなく、破損の可能性を少なくできる。さらに、第１連結部１０は連結方向に略均一な厚さであって、下方に湾曲して背もたれ部６と座部７とを屈曲自在に連結しているので、座部等を使用状態と折り畳み状態とに姿勢変更する場合に、第１連結部１０を無理なく屈曲させることができる。従って、第１連結部１０の左右方向の長さを長くして、座部７上の子供の体重等に十分に耐え得る強度を確保できる。
【００３６】
また第１連結部１０は、背もたれ部６の前面側と座部７の上面側とを連結しているので、他の部分、例えば背もたれ部６の後面側と座部７の下面側とを連結した場合に比べて、子供の衣服や皮膚等が背もたれ部６と座部７との間に挟み込まれる惧れも少なくできる。背もたれ部６の下端縁３７と座部７の後端縁３８とを略同一長さの略直線状に成型し、その全長にわたって第１連結部１０を設けているため、この第１連結部１０によって背もたれ部６と座部７とを確実に連結でき、十分な強度を確保できる。
【００３７】
座部７とストッパー部８とを連結する第２連結部１１は、座部７の上面側とストッパー部８の下側面の厚さ方向の略中央側とを連結しているので、ストッパー部８の後面側を座部７上に位置させることができ、座部７上の子供の前への移動を極力防止できる。特に第２連結部１１は、その肉厚部４１ａ，４１ｂ間の屈曲部４１ｃで屈曲するようになっているため、ストッパー部８の前後方向の移動を少なくできる。しかも使用状態のときに座部７の上面とストッパー部８の下側面との間に隙間ができるように、ストッパー部８の下側面を後ろ上がりに傾斜させたので、ストッパー部８の後面側を座部７上に位置させた場合でも、子供の衣服や皮膚等が座部７の上面とストッパー部８の下側面との間に挟まれる惧れを少なくできる。
【００３８】
背もたれ部６、座部７及びストッパー部８を中空状に構成しているので、全体を軽量化できると共に、合成樹脂材料の使用量が少なくなり、コストを削減できる。また背もたれ部６と座部７とを連結する第１連結部１０を、背もたれ部６及び座部７の肉厚と略同程度の厚さとしているので、成型時に合成樹脂材料を硬化させる際に、背もたれ部６、座部７及び第１連結部１０の硬化を略同じ時間にでき、製造の能率が向上する。座部７とストッパー部８とを連結する第２連結部１１を、座部７及びストッパー部８の肉厚と略同程度の厚さの肉厚部４１と、第２連結部１１の連結方向の中央に設けられ且つ肉厚部４１より薄い屈曲部４２とによって構成しているので、成型時に合成樹脂材料を硬化させる際に、座部７、ストッパー部８及び第２連結部１１の硬化を略同じ時間にでき、製造の能率が向上する。各連結部１０，１１には、その左右両端に突条部１０ａ，４１ｄを設けているので、繰り返して屈曲するにもかかわらず、左右両側から裂け目が入って破損する惧れを少なくできる。
【００３９】
折り畳み状態のときに突出板４５が凹入部１４を前側から略覆い隠すので、外観が良い。さらに、突出板４５は、使用状態のときに背もたれ部６の下面に沿って近接し、折り畳み状態のときに後端側の突出部１２が本体５の凹入部１４の前端から前に出ない程度に２段階に折曲されているので、折り畳み状態のときにも外観が良い上に安全である。しかも、第１連結部１０と突出板４５とが近接又は接触しているので、第１連結部１０付近の外観を薄くでき、見た目が良い。また背もたれ部６に取付凹部１８を設け、その取付凹部１８に奥行の小さい本体５の取付部１６が嵌合しているので、全体の突出量を小さくでき、狭い設置スペースにも設置可能である。
【００４０】
以上、本発明の一実施形態を詳述したが、本発明はこの実施形態に限られるものではない。例えば、実施形態では、背もたれ部６と座部７とストッパー部８とを各連結部１０，１１を介して一体成型しているが、背もたれ部６と座部７、座部７とストッパー部８との内、どちらか一方を連結部１０，１１を介して一体成型し、他方は別体に成型して枢軸によって屈曲自在に連結するようにしても良い。即ち、本発明の子供用椅子は、背もたれ部６と座部７、及び／又は座部７とストッパー部８とを合成樹脂材料により屈曲可能な連結部１０，１１を介して一体成型したものであれば良い。この場合にも実施形態と略同様の効果を得ることができる。
【００４１】
また実施形態では、ストッパー部８と安全サークル９とを備えた子供用椅子を例示したが、少なくとも背もたれ部６と座部７とを備え、座部７が前方に突出する使用状態と起立する折り畳み状態との間で姿勢変更自在に構成したものであれば良い。即ち、背もたれ部６と座部７とを屈曲可能な連結部１０を介して一体成型し、背もたれ部６を直接壁面１に固定するように構成にしても良い。
【００４２】
また本体５の形状、壁面１及び床面３への取り付け構造、本体５と背もたれ部６との取り付け構造等は、あくまでも例示であって、適宜変更すれば良い。即ち、子供の体重等に耐え得る強度を有する形状、取り付け構造であれば良く、実施形態に限られるものではない。配置も入り隅２を挟む左右の壁面１に固定する以外にも、片側の壁面１に本体５及び背もたれ部６の後面が略平行になるように固定しても良い。この場合、コーナー取付具を使用せずに、壁面１にナットを埋め込む等の適宜方法により壁面１に取り付ければ良い。
【００４３】
さらに、実施形態では、本体５を鋼板等の金属製の補強部材２０により補強しているが、本体５を十分に強度の確保できる構造にすれば補強部材２０は必ずしも設けなくても良い。また本体５及び補強部材２０は実施形態に例示の材質に限られたものではなく、加工成型が可能な十分に強度を有する材質であれば良く、適宜変更可能である。
【００４４】
第１連結部１０は、必ずしも背もたれ部６の下端縁３７と座部７の後端縁３８との全長にわたって成型しなくても良い。例えば、短い幅の複数個の第１連結部１０を所定間隔を置いて設けても良い。要するに、屈曲可能な第１連結部１０を介して背もたれ部６と座部７とが一体成型されていればよい。また第１連結部１０は、その連結方向に略均一の厚さに構成されているが、十分に強度を確保できるのであれば、第２連結部１１のように厚みの薄い屈曲部を設けても良い。実施形態では、背もたれ部６の前面側と座部７の上面側とを連結しているが、これに限られるものでなく、使用に支障をきたすような大きな凹凸やガタつきがなければ、連結する位置は自由に決定すれば良い。
【００４５】
第２連結部１１は、厚みの薄い屈曲部４１ｃを設けて、この屈曲部４１ｃを中心に屈曲するように構成されているが、第１連結部１０のように、その連結方向で略均一の厚さとし、全体的に屈曲するように構成しても良いし、屈曲部４１ｃを連結方向に２箇所設けても良い。即ち、屈曲可能な第２連結部１１を介して座部７とストッパー部８とが一体成型されていれば良い。座部７とストッパー部８とに連結する位置も実施形態に限られるものではなく、使用に差し支えのない範囲で適宜決定すれば良い。
【００４６】
背もたれ部６、座部７及びストッパー部８の形状も実施形態はあくまでも例示にすぎず、変更可能である。例えば、背もたれ部６の下端縁３７、及び座部７の後端縁３８は、略同一長さの略直線状でなく円弧状に構成しても良い。その場合、第１連結部１０の形状を適宜変更すれば良い。つまり、背もたれ部６と座部７、及び／又は座部７とストッパー部８とを屈曲可能な連結部１０，１１を介して一体成型していれば、その形状は適宜決定すれば良い。背もたれ部６、座部７及びストッパー部８を略４角形状等の形状にしても良いし、丸みを帯びた形状でなく角張った形状にしても良い。
【００４７】
実施形態では、背もたれ部６、座部７及びストッパー部８を中空状に構成しているが、中実状に構成しても良い。ただし、この場合、全体として重くなるので、安全性を考慮して、各連結部１０，１１の強度、壁面１及び床面３への固定の強度、本体５と背もたれ部６との固定の強度等を高める必要がある。しかも、合成樹脂材料の使用量が増えてコストアップするので、あまり好ましくない。
【００４８】
また実施形態では、座部７の下面に突出板４５を固定し、この突出板４５が本体５に形成した受け部１５に当接して座部７を使用状態に保持するように構成したが、その他の構成にしても良い。例えば、背もたれ部６の下面と座部７の後面とに後ろ下がりの傾斜面を形成して、それらが使用状態のときに面接触して使用状態を保持するように構成しても良い。ただし、この場合は、第１連結部１０を引っ張る力が作用するので、第１連結部１０を引っ張り強度の大きい構成にする必要がある。また突出部１２を座部７から下方に突出するように構成し、使用状態のときに、突出部１２が本体５の前面に前側から当接して使用状態を保持するようにしても良い。この場合、本体５に凹入部１４を形成する必要はなく、本体５の前面が受け部１５となる。
【００４９】
【発明の効果】
本発明では、壁面１側に固定される本体５と、該本体５の上部に固定された背もたれ部６と、該背もたれ部６の下側に屈曲自在に連結された座部７と、該座部７の前側に屈曲自在に連結されたストッパー部８と、後端側が前記背もたれ部６に枢支され且つ前端側が前記ストッパー部８に連結された安全サークル９とを備え、前記座部７と前記安全サークル９とが前方に突出する使用状態と起立する折り畳み状態との間で姿勢変更自在に構成された子供用椅子において、前記背もたれ部６と前記座部７とを、下方に円弧状に湾曲形成され且つ前記背もたれ部６の下端縁と前記座部７の後端縁とを屈曲可能に連結する連結部１０を介して合成樹脂材料により一体成型し、前記座部７に、前記連結部１０の下側近傍を経て後方に突出する突出部１２を設け、該突出部１２が前記連結部１０から後方に離れた位置で当接して前記座部７を前記使用状態に保持する受け部１５を前記本体５に設けているので、背もたれ部６と座部７との連結部１０を小型化できると共にその構造を簡単にでき、容易且つ安価に製作でき、しかも品質のばらつきを少なくできる。
【図面の簡単な説明】
【図１】本発明の一実施形態を例示する子供用椅子の設置状態の斜視図である。
【図２】本発明の一実施形態を例示する子供用椅子の正面図である。
【図３】本発明の一実施形態を例示する子供用椅子の背面図である。
【図４】本発明の一実施形態を例示する子供用椅子の側面図である。
【図５】本発明の一実施形態を例示する子供用椅子の断面図である。
【図６】本発明の一実施形態を例示する子供用椅子の平面図である。
【図７】本発明の一実施形態を例示する要部の分解断面図である。
【図８】本発明の一実施形態を例示する本体の正面図である。
【図９】本発明の一実施形態を例示する背もたれ部の背面図である。
【図１０】本発明の一実施形態を例示する第１連結部の拡大断面図である。
【図１１】本発明の一実施形態を例示する第２連結部の拡大断面図である。
【図１２】本発明の一実施形態を例示する姿勢保持機構の断面図である。
【図１３】本発明の一実施形態を例示する背もたれ部の姿勢保持機構側の側面図である。
【図１４】本発明の一実施形態を例示する背もたれ部、座部及びストッパー部の展開図である。
【図１５】本発明の一実施形態を例示する折り畳み状態の断面図である。
【符号の説明】
６      背もたれ部
７      座部
８      ストッパー部
９      安全サークル
１０    第１連結部
１１    第２連結部
３７    下端縁
３８    後端縁
４１ａ  肉厚部
４１ｂ  肉厚部
４１ｃ  屈曲部
【図１】
0003785341.tif 000002
【図２】
0003785341.tif 000003
【図３】
0003785341.tif 000004
【図４】
0003785341.tif 000005
【図５】
0003785341.tif 000006
【図６】
0003785341.tif 000007
【図７】
0003785341.tif 000008
【図８】
0003785341.tif 000009
【図９】
0003785341.tif 000010
【図１０】
0003785341.tif 000011
【図１１】
0003785341.tif 000012
【図１２】
0003785341.tif 000013
【図１３】
0003785341.tif 000014
【図１４】
0003785341.tif 000015
【図１５】
0003785341.tif 000016